(57)【要約】【課題】バーチャルランドスケープコントローラへ映像情報を配信および販売するにあたり、継続的なビジネスを実現できるとともに、利用者の好みや季節に応じた映像を提供できるようにする。【解決手段】バーチャルランドスケープコントローラと接続されたユーザ端末１０と、受注端末２０と、映像に関する情報が格納されたデータベース端末３０とがネットワーク１００を介してアクセス可能なシステムとする。そして、受注端末は、映像に関する製品情報をネットワークを介してユーザ端末に送信するとともに、ユーザ端末からネットワークを介して送信された購入製品情報を受け、この購入製品情報をデータベース端末へ渡す。データベース端末は、受注端末より受けた購入製品情報に基づき、ユーザ端末にネットワークを介して映像データのインストールを行う。【選択図】　　　　図１
2004030482.tif 000002
【特許請求の範囲】
【請求項１】
受注端末と、バーチャルランドスケープに関する情報が格納されたデータベース端末とを含み、受注端末には、バーチャルランドスケープコントローラと接続されたユーザ端末がネットワークを介してアクセス可能であり、
前記受注端末は、ネットワークを介して入力されるユーザ端末からの要求に応答して、バーチャルランドスケープに関する製品情報をネットワークを介してユーザ端末に送信する機能と、ユーザ端末からネットワークを介して送信された購入製品情報を受け、この購入製品情報をデータベース端末へ渡す機能とを備え、前記データベース端末は、受注端末より受けた購入製品情報に基づき、ユーザ端末にネットワークを介してバーチャルランドスケープデータのインストールを行う機能を備えていることを特徴とする、バーチャルランドスケープコントローラへの映像情報配信および販売システム。
【請求項２】
ユーザ端末は、受注端末へアクセスする際に、ユーザ端末に関する端末情報を受注端末に送信することを特徴とする、請求項１に記載のバーチャルランドスケープコントローラへの映像情報配信および販売システム。
【請求項３】
受注端末は、バーチャルランドスケープに関する製品情報をユーザ端末に送信するにあたり、データベース端末の情報と、ユーザ端末から受信した端末情報とを照合し、ユーザ端末に対応した製品情報を作成するとともに、この製品情報をユーザ端末に送信することを特徴とする、請求項２に記載のバーチャルランドスケープコントローラへの映像情報配信および販売システム。
【請求項４】
ユーザ端末が、ネットワークを介して受注端末へアクセスするステップと、
受注端末が、バーチャルランドスケープに関する製品情報をネットワークを介してユーザ端末に送信するステップと、
ユーザ端末において購入する製品を選択するステップと、
ユーザ端末が、購入製品情報をネットワークを介して受注端末へ送信するステップと、
受注端末が、ユーザ端末から受信した購入製品情報をデータベース端末に送信するステップと、
データベース端末が、受注端末より受けた購入製品情報に基づき、ユーザ端末にネットワークを介してバーチャルランドスケープデータのインストールを行うステップとを備えたことを特徴とする、バーチャルランドスケープコントローラへの映像情報配信および販売方法。
【請求項５】
ユーザ端末がネットワークを介して受注端末へアクセスするステップにおいて、ユーザ端末に関する端末情報を受注端末に送信することを特徴とする、請求項４に記載のバーチャルランドスケープコントローラへの映像情報配信および販売方法。
【請求項６】
前記端末情報は端末番号、使用ユーザ情報、およびＩＰアドレスであることを特徴とする、請求項５に記載のバーチャルランドスケープコントローラへの映像情報配信および販売方法。
【請求項７】
受注端末がバーチャルランドスケープに関する製品情報をユーザ端末に送信するステップにおいて、受注端末は、データベース端末の情報と、ユーザ端末から受信した端末情報とを照合し、ユーザ端末に対応した製品情報を作成するとともに、この製品情報をユーザ端末に送信することを特徴とする、請求項５または６に記載のバーチャルランドスケープコントローラへの映像情報配信および販売方法。
【請求項８】
受注端末がユーザ端末に送信するバーチャルランドスケープに関する製品情報は、製品の名称、型番、商品番号、サンプル画像、価格、およびバーチャルランドスケープデータの大きさであることを特徴とする、請求項４〜７のいずれか１項に記載のバーチャルランドスケープコントローラへの映像情報配信および販売方法。
【発明の詳細な説明】
【０００１】
【発明の属する技術分野】
本発明は、バーチャルランドスケープコントローラへの映像情報の配信および販売システムならびに方法に関する。
【０００２】
【従来の技術】
従来、バーチャルランドスケープコントローラを備えたフィットネスマシンやバーチャル体感ゲームマシン等が使用されている。しかし、従来のバーチャルランドスケープコントローラは、コントローラと映像情報とを一体にして販売しているため、販売者は一度製品を納品すると継続ビジネスの機会が少ないという問題があった。すなわち、利用者が一度購入すると、次に購入するにはコントローラと映像情報とを一体にした製品全てを再購入する必要があった。また、利用者は常に同じ映像を利用するため、利用する毎に新鮮味が欠け、飽きてしまうという問題があった。
【０００３】
【発明が解決しようとする課題】
本発明は、前述した事情に鑑みてなされたもので、バーチャルランドスケープコントローラと映像情報とを別売りとすることで、継続的なビジネスを実現することができるとともに、利用者の好みや季節に応じた映像を提供することができ、そのためバーチャルランドスケープコントローラの長期利用にもつながり、顧客満足度の向上を図ることができるシステムおよび方法を提供することを目的とする。
【０００４】
【課題を解決するための手段】
本発明は、前記目的を達成するため、下記（１）〜（８）に示すバーチャルランドスケープコントローラへの映像情報配信および販売システムならびに方法を提供する。
【０００５】
（１）受注端末と、バーチャルランドスケープに関する情報が格納されたデータベース端末とを含み、受注端末には、バーチャルランドスケープコントローラと接続されたユーザ端末がネットワークを介してアクセス可能であり、
前記受注端末は、ネットワークを介して入力されるユーザ端末からの要求に応答して、バーチャルランドスケープに関する製品情報をネットワークを介してユーザ端末に送信する機能と、ユーザ端末からネットワークを介して送信された購入製品情報を受け、この購入製品情報をデータベース端末へ渡す機能とを備え、前記データベース端末は、受注端末より受けた購入製品情報に基づき、ユーザ端末にネットワークを介してバーチャルランドスケープデータのインストールを行う機能を備えていることを特徴とする、バーチャルランドスケープコントローラへの映像情報配信および販売システム。
【０００６】
（２）ユーザ端末は、受注端末へアクセスする際に、ユーザ端末に関する端末情報を受注端末に送信することを特徴とする（１）のシステム。
【０００７】
（３）受注端末は、バーチャルランドスケープに関する製品情報をユーザ端末に送信するにあたり、データベース端末の情報と、ユーザ端末から受信した端末情報とを照合し、ユーザ端末に対応した製品情報を作成するとともに、この製品情報をユーザ端末に送信することを特徴とする（２）のシステム。
【０００８】
（４）ユーザ端末が、ネットワークを介して受注端末へアクセスするステップと、
受注端末が、バーチャルランドスケープに関する製品情報をネットワークを介してユーザ端末に送信するステップと、
ユーザ端末において購入する製品を選択するステップと、
ユーザ端末が、購入製品情報をネットワークを介して受注端末へ送信するステップと、
受注端末が、ユーザ端末から受信した購入製品情報をデータベース端末に送信するステップと、
データベース端末が、受注端末より受けた購入製品情報に基づき、ユーザ端末にネットワークを介してバーチャルランドスケープデータのインストールを行うステップとを備えたことを特徴とする、バーチャルランドスケープコントローラへの映像情報配信および販売方法。
【０００９】
（５）ユーザ端末がネットワークを介して受注端末へアクセスするステップにおいて、ユーザ端末に関する端末情報を受注端末に送信することを特徴とする（４）の方法。
【００１０】
（６）前記端末情報は端末番号、使用ユーザ情報、およびＩＰアドレスであることを特徴とする（５）の方法。
【００１１】
（７）受注端末がバーチャルランドスケープに関する製品情報をユーザ端末に送信するステップにおいて、受注端末は、データベース端末の情報と、ユーザ端末から受信した端末情報とを照合し、ユーザ端末に対応した製品情報を作成するとともに、この製品情報をユーザ端末に送信することを特徴とする（５）、（６）の方法。
【００１２】
（８）受注端末がユーザ端末に送信するバーチャルランドスケープに関する製品情報は、製品の名称、型番、商品番号、サンプル画像、価格、およびバーチャルランドスケープデータの大きさであることを特徴とする（４）〜（７）の方法。
【００１３】
本発明は、バーチャルリアリティの世界を実感できるフィットネスマシンや体感ゲーム等の映像データ製品の注文を、注文者がユーザ端末からネットワークを介して行い、製品の配信・動作確認をネットワークを介して行える販売システムを提供するビジネスモデルである。
【００１４】
図１において、受注端末はネットワークを使用してユーザ端末へ映像情報を提供する。注文者は購入製品を選択し、ネットワークを介して受注端末へ送信する。受注端末は、受注内容をデータベース端末へ送り、データベース端末よりユーザ端末へデータ送信・設定を行う。
【００１５】
【発明の実施の形態】
次に、添付図面を参照して本発明の実施の形態を説明する。図１を参照すると、本発明に係るバーチャルランドスケープコントローラへの映像情報配信の実施例は、ユーザ端末１０と、受注端末２０と、データベース端末３０と、これらを相互に接続するインターネット等の通信ネットワーク１００とから構成されている。
【００１６】
ユーザ端末１０は、ネットワーク１００への接続機能を持ったフィットネスマシンやバーチャル体感ゲーム等の情報処理装置である。ユーザ端末１０は、バーチャルランドスケープを制御する機能と、ネットワーク１００へ接続し、受注端末２０が提供している情報にアクセスし、表示する機能とを持つ。受注端末２０へアクセスする際に、ユーザ端末１０の端末番号、使用ユーザ情報を送信する。また、ユーザ端末１０は、受注端末２０からの製品情報から購入する映像情報を選択し、ネットワーク１００を介して受注端末２０に購入製品情報を送信する機能を有する。ユーザ端末１０は、歩行機などのフィットネスマシンや、ゲームコントローラ機能を持ち、使用するユーザの動きと連動して、映像の動きの速さを変えることができるようになっている。ユーザ端末１０は、ハードディスクドライブを搭載し、ユーザ端末１０の識別情報や、映像情報を保持することができる。
【００１７】
受注端末２０は、製品販売者が使用する、サーバ等の情報処理端末である。受注端末２０は、製品の名称、型番、商品番号、サンプル画像、価格等のバーチャルランドスケープに関する製品情報をネットワーク１００を使用してユーザへ提供する。提供する製品情報の一覧の作成においては、データベース端末３０に格納された情報と、ユーザ端末１０から受信した端末情報とを照合し、ユーザ端末１０に対応した製品情報を作成する。また、ユーザ端末１０から送信された購入製品情報を受け、データベース端末３０へ購入製品情報を受け渡す機能を有する。
【００１８】
データベース端末３０は、製品販売者がユーザ端末に向けた映像データを入れておく、サーバ等の情報処理端末である。データベース端末３０は、受注端末２０より受けた購入製品情報を元に、ユーザ端末１０にネットワーク１００を介して映像データのインストール、設定を行う機能を有する。
【００１９】
次に、図１、２を参照して本実施例について詳細に説明する。以下、ネットワーク１００は、ブロードバンドネットワーク、またはＣＡＴＶ網と考える。また、利用者は、バーチャルランドスケープコントローラ購入時に、ユーザ登録として製品名、製造番号、代金支払い方法等の登録を済ませる必要がある。
【００２０】
図２を参照すると、注文者はユーザ端末１０を使用し、ネットワーク１００を介して受注端末２０にアクセスする（ステップＡ１）。この際、ユーザ端末１０は、端末情報として端末番号、使用ユーザ情報、ＩＰアドレスを送信する。
【００２１】
これに応答して、受注端末２０は、ユーザ端末１０からの情報を元に、対応した製品の情報をユーザ端末１０に送信する（ステップＡ２）。送信情報としては、ユーザ端末１０に対応した製品の、製品名、型番、商品番号、サンプル画像、価格、使用するハードディスク容量が送信される。
【００２２】
ユーザ端末１０へは、製品名、型番、商品番号、サンプル画像、価格、使用するハードディスク容量が表示される（ステップＡ３）。注文者は、購入する製品を選択する（ステップＡ４）。製品の選択は、表示された画面を指で触るタッチパネル、またはボタンにより選択決定を行う。
【００２３】
注文者は、表示された購入製品情報を確認後、タッチパネル、またはボタンにより、ユーザ端末１０から受注端末２０へ購入製品情報を送信する。また、購入製品情報と一緒に、ユーザ端末情報として、端末番号、使用ユーザ情報、ＩＰアドレスを送信する。購入製品情報とユーザ端末情報はネットワーク１００を介して受注端末２０へ送信される（ステップＡ５）。
【００２４】
受注端末２０は、情報を受信すると、購入製品情報とユーザ端末情報を識別し、注文者に購入製品情報、支払額等を表示する（ステップＡ６）。購入製品情報では、製品名、型番、製品番号、注文受付日を表示する。支払額では、注文者の支払額、支払い方法、料金引き落とし日が表示される。受注端末２０は、購入製品情報とユーザ端末情報をデータベース端末３０へ送信する（ステップＡ７）。
【００２５】
データベース端末３０は、購入製品情報を元に、ネットワーク１００を介してユーザ端末１０へ購入製品のインストールを行う（ステップＡ８）。インストールが完了後、ユーザ端末１０にて映像を表示することができる（ステップＡ９）。
【００２６】
【発明の効果】
本発明の第１の効果は、コントローラと映像情報を別売りにすることで、継続ビジネスが期待できることである。第２の効果は、映像情報の注文からインストールまで全てネットワークを用いて行うため、現地作業が必要なくなり、製品価格を抑えることができることである。第３の効果は、利用者の好みにあった映像を用意して、顧客満足度の向上を期待することができ、また、年間契約等のオプションを用意することで、ユーザは季節に合った新しい映像を利用できることである。第４の効果は、ブロードバンドを利用した情報の配信により、利用者が購入直後に購入した映像情報を利用できることである。
【図面の簡単な説明】
【図１】本発明に係るバーチャルランドスケープコントローラへの映像情報配信および販売システムの一例の全体を示す図である。
【図２】本発明の動作の一例を示すフローチャートである。
【符号の説明】
１０　ユーザ端末
２０　受注端末
３０　データベース端末
１００　ネットワーク
【図１】
2004030482.tif 000003
【図２】
2004030482.tif 000004